(57)【要約】【課題】リアルタイムに故障の検知と故障の解析を行う信号制御システムを提供する。【解決手段】信号制御システムは、複数の現場機器を連動制御する電子連動装置が備えられる信号制御システムにおいて、上位の通信回線を介して上記電子連動装置と接続され、上記複数の現場機器を監視する上位監視装置と、上記複数の現場機器と上記電子連動装置とを接続する下位の通信回線に接続される監視・解析手段と、が備えられ、上記監視・解析手段は、少なくとも１つの上記現場機器の動作状況を監視して故障を検知する故障検知手段と、検知された上記故障の原因を解析する故障原因解析手段と、を有し、上記上位監視装置に上記故障の内容を送信する。【選択図】図１
2005324704.tif 000002
【特許請求の範囲】
【請求項１】
複数の現場機器を連動制御する電子連動装置が備えられる信号制御システムにおいて、  上位の通信回線を介して上記電子連動装置と接続され、上記複数の現場機器を監視する上位監視装置と、
上記複数の現場機器と上記電子連動装置とを接続する下位の通信回線に接続される監視・解析手段と、
が備えられ、
上記監視・解析手段は、少なくとも１つの上記現場機器の動作状況を監視して故障を検知する故障検知手段と、検知された上記故障の原因を解析する故障原因解析手段と、を有し、上記上位監視装置に上記故障の内容を送信することを特徴とする信号制御システム。
【請求項２】
上記監視・解析手段は、
少なくとも１つの上記現場機器の動作状況を記録する監視記録手段と、
上記記録された動作状況から上記現場機器の健全性を調べる現場機器保守手段と、
を有することを特徴とする請求項１に記載する信号制御システム。
【発明の詳細な説明】
【技術分野】
【０００１】
この発明は、鉄道などにおいて用いられる信号制御システムに関するものである。
【背景技術】
【０００２】
信号制御システムは、モニタ・試験部、進路制御論理部、連動論理部および現場機器制御論理部によって構成される。この各部は、上位のＬＡＮ（Ｌｏｃａｌ  Ａｒｅａ  Ｎｅｔｗｏｒｋ）に接続されている。また、現場機器制御論理部は、下位のＬＡＮを介して転てつ器、信号機等の複数の現場機器に接続されている。
進路制御論理部、連動論理部および現場機器制御論理部は、モニタ・試験部から上位のＬＡＮを介して受信したローディング対象データに従って連動動作を実行する。そして、現場機器を監視する監視手段は、上位のＬＡＮに備えられている（例えば、特許文献１参照。）。
【０００３】
【特許文献１】特開２００１−３０１６１９号公報
【発明の開示】
【発明が解決しようとする課題】
【０００４】
従来の信号制御システムにおいて、現場機器の監視手段が上位のＬＡＮに備えられているため、現場機器の情報が現場機器と下位のＬＡＮの間の電子端末の不具合や上位のＬＡＮにおける遅延により監視手段に伝送されず故障検知できないという問題がある。また、誤って故障を検知してしまうこともある。さらに、リアルタイムに故障を検知できないという問題がある。
【０００５】
この発明の目的は、リアルタイムに故障の検知と故障の解析を行う信号制御システムを提供することである。
【課題を解決するための手段】
【０００６】
この発明に係る信号制御システムは、複数の現場機器を連動制御する電子連動装置が備えられる信号制御システムにおいて、上位の通信回線を介して上記電子連動装置と接続され、上記複数の現場機器を監視する上位監視装置と、上記複数の現場機器と上記電子連動装置とを接続する下位の通信回線に接続される監視・解析手段と、が備えられ、上記監視・解析手段は、少なくとも１つの上記現場機器の動作状況を監視して故障を検知する故障検知手段と、検知された上記故障の原因を解析する故障原因解析手段と、を有し、上記上位監視装置に上記故障の内容を送信する。
【発明の効果】
【０００７】
この発明の信号制御システムは、現場機器用の監視・解析手段が下位のＬＡＮに接続されるので、上位の監視装置の検知に先立ってより早く故障を検知することができる。さらに、現場機器の動作特性を常時監視することにより確実に故障を検知しているので、スムーズな故障復旧を行うことができる。
また、故障の原因を解析する故障原因解析手段を備えているので、正しい原因に基づく故障復旧作業ができる。
【発明を実施するための最良の形態】
【０００８】
実施の形態１．
図１は、この発明の実施の形態１に係わる信号制御システムの構成を示すブロック図である。図２は、実施の形態１に係わる信号制御システムの監視・解析手段の機能ブロック図である。
この実施の形態１の信号制御システム１は、複数の現場機器２が幾つかのグループに分割され、グループ毎に備えられた電子連動装置４により現場機器２の動作が制御されている。各グループの現場機器２は、それぞれの下位の通信回線としての下位ＬＡＮ３にぶら下げられるように接続されている。そして、各グループ内の現場機器２を連動制御する電子連動装置４と、グループ内の現場機器２の状態を監視し、現場機器２の故障を検知したとき故障を解析する監視・解析手段５と、が下位ＬＡＮ３に接続されている。
さらに、信号制御システム１は、各グループに備えられる電子連動装置４を互いに接続する上位の通信回線としての上位ＬＡＮ６、上位ＬＡＮ６に接続され、すべてのグループの現場機器２を監視する上位監視装置７から構成される。この上位ＬＡＮ６は、イーサネット（登録商標）規格に準拠するＬＡＮである。
【０００９】
現場機器２は、信号機、転てつ器、軌道回路などからなり、現場機器用制御命令により制御され、制御された機器状態情報を電子連動装置４に送信する。同時に、現場機器２は、現場機器２の動作状況に係わる複数の動作特性を下位ＬＡＮ３を介して監視・解析手段５に定期的に送信する。
電子連動装置４は、現場機器２の機器状態情報と上位ＬＡＮ６を経由してすべてのグループを制御する上位電子連動装置８から送信される進路情報とに基づき連動論理データに従って連動論理演算を行い、現場機器用制御命令を求め、現場機器用制御命令を下位ＬＡＮ３を介して現場機器２に送信する。
【００１０】
監視・解析手段５は、図２に示すように、常時下位ＬＡＮ３を経由して得られる動作特性を受信するとともに故障を検知したとき上位監視装置７に異常情報を送信するＬＡＮインタフェース１１、動作特性を記録する監視記録手段１２、各動作特性と予め定められた各動作特性の閾値とを比較して故障を検知する故障検知手段１３、故障が検知されたとき故障アラームを発するアラーム発報手段１４、複数の動作特性に基づいて故障の原因を解析する故障原因解析手段１５、解析して得られた故障解析原因を表示する表示手段１６を有している。
監視・解析手段５は、ＣＰＵ、ＲＡＭ、ＲＯＭ、インタフェース回路を有するコンピュータから構成されている。さらに、表示手段１６としての液晶モニタがインタフェース回路に接続されている。また、アラーム発報手段１４は、警報ランプからなる。
【００１１】
次に、信号制御システム１における現場機器２の状態の監視と故障時の解析の動作について説明する。
監視・解析手段５は、常時下位ＬＡＮ３を介して送信されてくる現場機器２の動作特性を受信し、各動作特性と各動作特性の閾値とを比較して故障を検知する。
さらに、監視・解析手段５は、故障を検知したとき、故障の現場機器２と故障内容とからなる異常情報を上位監視装置７に送信する。さらに、監視・解析手段５は、故障を検知したとき、警報ランプを点灯する。
次に、監視・解析手段５は、現場機器２の複数の動作特性を解析し、故障の原因を特定し、特定した原因を液晶モニタに表示する。
保守員は、警報ランプの点灯に基づいて故障の発生の現場機器の所へ直行し、液晶モニタに表示されている原因に従って故障復旧を行う。また、保守員は、記録された動作特性のデータを一旦持ち運びのできるパソコンの記憶手段にダウンロードし、別の場所でそのデータを用いてより詳細な故障原因の解析を行う。
【００１２】
このような信号制御システムは、現場機器用の監視・解析手段が下位のＬＡＮに接続されているので、上位の監視装置の検知に先立ってより早く故障を検知することができる。さらに、現場機器の動作特性を常時監視することにより確実に故障を検知しているので、スムーズな故障復旧を行うことができる。
また、原因究明のための故障解析結果が表示されるので、正しい原因に基づく故障復旧作業ができる。
【００１３】
実施の形態２．
図３は、この発明の実施の形態２に係わる信号制御システムの監視・解析手段の機能ブロック図である。
実施の形態２の信号制御システムは、実施の形態１の信号制御システム１の監視・解析手段５に現場機器２の健全性を定期的に調べる現場機器保守手段２２が追加されたことが異なっている。その他は、実施の形態１の信号制御システム１と同様であるので、同様な部分に同じ符号を付記して説明を省略する。
実施の形態２に係わる監視・解析手段２１は、監視記録手段１２に記録されている動作特性を定期的に読み出し、動作特性の経時的な変化を求め、動作特性の劣化の度合いから現場機器２の健全性を算出する現場機器保守手段２２を有している。現場機器保守手段２２は、算出した健全性を表示手段１６に表示する。
保守員は、この表示された健全性を参考にして、保守点検や交換の時期などを計画する。
【００１４】
このような信号制御システムは、現場機器の健全性が定期的に算出され表示されるので、現場機器の交換や増設などの計画を立て易くなる。
【図面の簡単な説明】
【００１５】
【図１】この発明の実施形態１に係わる信号制御システムの構成を示すブロック図である。
【図２】実施の形態１に係わる信号制御システムの監視・解析手段の機能ブロック図である。
【図３】この発明の実施の形態２に係わる信号制御システムの監視・解析手段の機能ブロック図である。
【符号の説明】
【００１６】
１  信号制御システム、２  現場機器、３  下位ＬＡＮ、４  電子連動装置、５、２１  監視・解析手段、６  上位ＬＡＮ、７  上位監視装置、８  上位電子連動装置、１１  ＬＡＮインタフェース、１２  監視記録手段、１３  故障検知手段、１４  アラーム発報手段、１５  故障原因解析手段、１６  表示手段、２２  現場機器保守手段。
【図１】
2005324704.tif 000003
【図２】
2005324704.tif 000004
【図３】
2005324704.tif 000005